(57)【要約】【課題】装置本体に引出し可能に取り付けられた複数のユニットの各々をロックするロック機構のうちのいずれか一つのロック機構のみを選択して解除可能とする選択部材を有することによって、複数のユニットが同時に引き出されることを確実に防止して、キャスタを使用しなくとも、装置本体の転倒を確実に防止することができるようにする。【解決手段】装置本体１１と、該装置本体１１に引出し可能に取り付けられた複数のユニットと、該複数のユニットの各々をロックする複数のロック機構と、該複数のロック機構のうちのいずれか一つのロック機構のみを選択する選択部材とを有するユニット同時引出し防止機構であって、各ロック機構は、ユニットを解除可能にロックするロック部材を備え、前記選択部材によって選択されたロック機構のロック部材のみが解除動作可能となる。【選択図】図１
2008197972.tif 000002
【特許請求の範囲】
【請求項１】
（ａ）装置本体と、
（ｂ）該装置本体に引出し可能に取り付けられた複数のユニットと、
（ｃ）該複数のユニットの各々をロックする複数のロック機構と、
（ｄ）該複数のロック機構のうちのいずれか一つのロック機構のみを選択する選択部材とを有するユニット同時引出し防止機構であって、
（ｅ）各ロック機構は、ユニットを解除可能にロックするロック部材を備え、
（ｆ）前記選択部材によって選択されたロック機構のロック部材のみが解除動作可能となることを特徴とするユニット同時引出し防止機構。
【請求項２】
（ａ）装置本体と、
（ｂ）該装置本体に引出し可能に取り付けられた複数のユニットと、
（ｃ）該複数のユニットの各々をロックする複数のロック機構と、
（ｄ）該複数のロック機構のうちのいずれか一つのロック機構のみを選択する選択部材とを有するユニット同時引出し防止機構であって、
（ｅ）各ロック機構は、ユニットを解除可能にロックするロック部材を備え、
（ｆ）前記選択部材によって選択されたロック機構以外のロック機構のロック部材は解除動作不能となることを特徴とするユニット同時引出し防止機構。
【請求項３】
（ａ）装置本体と、
（ｂ）該装置本体に引出し可能に取り付けられた複数のユニットと、
（ｃ）該複数のユニットの各々をロックする複数のロック機構と、
（ｄ）該複数のロック機構のうちのいずれか一つのロック機構のみを選択する選択部材とを有するユニット同時引出し防止機構であって、
（ｅ）各ロック機構は、ユニットを解除可能にロックするロック部材を備え、
（ｆ）前記選択部材によってロック機構を選択すると、選択されたロック機構のロック部材が解除動作を行うことを特徴とするユニット同時引出し防止機構。
【請求項４】
（ａ）装置本体と、
（ｂ）該装置本体に引出し可能に取り付けられた複数のユニットと、
（ｃ）該複数のユニットの各々をロックする複数のロック機構と、
（ｄ）該複数のロック機構のうちのいずれか一つのロック機構のみを選択する選択部材とを有するユニット同時引出し防止機構であって、
（ｅ）各ロック機構は、ユニットを解除可能にロックするロック部材を備え、
（ｆ）前記選択部材によって選択されたロック機構に対応するユニットを引き出すと、選択されたロック機構以外のロック機構のロック部材は解除動作不能となることを特徴とするユニット同時引出し防止機構。
【発明の詳細な説明】
【技術分野】
【０００１】
本発明は、ユニット同時引出し防止機構に関するものである。
【背景技術】
【０００２】
従来、銀行、郵便局、信用金庫、消費者金融会社等の金融機関の顧客は、入金、出金、振込、通帳記帳等の金融取引を行う場合、前記金融機関の支店等に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動化機器としての現金自動取引装置を利用するようになっている。この場合、該現金自動取引装置は、硬貨入出金装置、紙幣入出金装置、取引明細票発行装置、カード取扱装置等の各種の装置を備えている。そして、該各種の装置は、それぞれ独立のユニットとして構成され、現金自動取引装置の本体に対して引出し可能に取り付けられている。
【０００３】
そのため、前記各種の装置の保守、点検等の場合には、該当するユニットを現金自動取引装置の本体から引き出すようになっている。例えば、紙幣入出金装置に紙幣を補充する必要がある場合、オペレータは紙幣入出金装置のユニットを現金自動取引装置の本体から引出し、紙幣を補充した後、前記ユニットを再び現金自動取引装置の本体に戻すようになっている（例えば、特許文献１及び２参照。）。
【０００４】
図２は従来の現金自動取引装置の要部構成図である。なお、図２（ａ）は本体にユニットが格納され、該ユニットにモジュールが格納されている図、図２（ｂ）はユニットにモジュールが格納された状態でユニットが本体から引き出された状態の図、図２（ｃ）は本体にユニットが格納され、該ユニットからモジュールが引き出された状態の図、図２（ｄ）は本体からユニットが引き出され、該ユニットからモジュールが引き出された状態の図、図２（ｅ）は正面図である。
【０００５】
図において、１０１は現金自動取引装置の本体であり、紙幣入出金装置等のユニット１０２が前記本体１０１にユニット単位で引出し可能に収納してある。また、ユニット１０２は保守性を上げるために、該ユニット１０２内部の紙幣収納庫等も、別個のユニットとして引出し可能に収納してある。ここでは、前記別個のユニットをモジュール１０３と称して説明する。
【０００６】
そして、本体１０１とユニット１０２には、互いに入れ子式に嵌（かん）合し、矢印Ｂ−Ｂの方向に引出し可能なスライドレール１０４がそれぞれ設けられている。該スライドレール１０４は、本体１０１に図示されないねじによって固定されている固定側レール１０４ａと、ユニット１０２の側面に図示されないねじによって固定されている可動側レール１０４ｂとから成る。同様に、ユニット１０２とモジュール１０３には、互いに入れ子式に嵌合し、矢印Ｂ−Ｂの方向に引出し可能なスライドレール１０５がそれぞれ設けられている。該スライドレール１０５は、モジュール１０３に図示されないねじによって固定されている固定側レール１０５ａと、ユニット１０２の側面に図示されないねじによって固定されている可動側レール１０５ｂとから成る。
【０００７】
さらに、ユニット１０２はキャスタ１０６を有し、該キャスタ１０６はローラ１０６ａとブラケット１０６ｂとから成る。前記ローラ１０６ａはブラケット１０６ｂに回転可能に固定されており、ブラケット１０６ｂはモジュール１０３に図示されないねじによって固定されている。ローラ１０６ａはユニット１０２又はモジュール１０３の引出し時に設置面に接触し回転を行う。
【０００８】
これにより、図２（ｂ）に示されるように、モジュール１０３がユニット１０２に格納された状態で該ユニット１０２を本体１０１から引き出すこともできる。また、図２（ｃ）に示されるように、ユニット１０２が本体１０１に格納された状態でモジュール１０３だけを本体１０１から引き出すこともできる。さらに、図２（ｄ）に示されるように、ユニット１０２を本体１０１から引き出し、かつ、モジュール１０３をユニット１０２から引き出すこともできる。
【０００９】
次に、従来の現金自動取引装置のロック機構について説明する。
【００１０】
図３は従来の現金自動取引装置のロック機構のロック状態を示す図、図４は従来のロック機構のロック解除状態を示す図である。
【００１１】
図３及び４に示されるように、ユニット１０２と本体１０１とをロックするロック機構として、ユニット１０２の側面には断面がコ字状のユニットロックリンク１０７が回転可能に設けられ、本体１０１にはユニットロックリンク１０７の凹部と係合するロックポスト１０８が設けられている。そして、ユニットロックリンク１０７は、ユニット１０２の側面に固定された支軸を中心に回転可能であり、図示されないスプリングによって反時計回り方向に回転する付勢力を受けており、図示されないストッパに当接して、ロックポスト１０８と係合する位置で停止する。
【００１２】
また、ユニットロックレバ１０９は、ユニット１０２の側面に回転可能に設けられ、例えば、オペレータが行うロック解除操作によって発生する他からの力をＡ部に受けると、ユニット１０２の側面に固定された支軸を中心に反時計回り方向に回転を行う。そして、ユニットロックリンク１０７は、ユニットロックレバ１０９が回転すると該ユニットロックレバ１０９からの力を受け、時計回り方向に回転を行う。なお、ユニットロックレバ１０９は、図示されないスプリングによって時計回り方向に常に回転する付勢力を受けており、図示されないストッパに当接して、図３に示される位置で停止する。
【００１３】
同様に、ユニット１０２とモジュール１０３とをロックするロック機構として、モジュール１０３の側面には断面がコ字状のモジュールロックリンク１１０が回転可能に設けられ、ユニット１０２にはモジュールロックリンク１１０の凹部と係合するロックポスト１１１が設けられている。そして、モジュールロックリンク１１０は、モジュール１０３に固定されている回転支軸を中心に回転可能であり、図示されないスプリングによって反時計回り方向に回転する付勢力を受けており、図示されないストッパに当接して、ロックポスト１１１と係合する位置で停止する。
【００１４】
また、モジュールロックレバ１１２は、モジュール１０３の側面に回転可能に設けられ、例えば、オペレータが行うロック解除操作によって発生する他からの力をＡ部に受けると、モジュール１０３に固定されている回転支軸を中心に反時計回り方向に回転を行う。そして、モジュ−ルロックリンク１１０は、モジュールロックレバ１１２が回転すると該モジュールロックレバ１１２からの力を受け、時計回り方向に回転を行う。なお、モジュールロックレバ１１２は、図示されないスプリングによって時計回り方向に回転する付勢力を受けており、図示されないストッパに当接して、図３に示される位置で停止する。
【００１５】
そして、図４に示されるように、ユニット１０２のロック及びモジュール１０３のロックを解除すると、図２（ｄ）に示されるように、本体１０１からユニット１０２が引き出され、かつ、該ユニット１０２からモジュール１０３が引き出された状態を作り出すことが可能である。
【００１６】
前記現金自動取引装置においては、ユニット１０２のみ、又は、モジュール１０３のみを引き出した場合には本体１０１が転倒することはないが、ユニット１０２を引き出し、さらに、モジュール１０３も引き出すと、本体１０１が転倒する恐れがある。そのため、安全上、モジュール１０３にキャスタ１０６を付けて、転倒防止を行っている。
【特許文献１】特開２００２−１０４６６７号公報
【特許文献２】特開平１１−１１０６１４号公報
【発明の開示】
【発明が解決しようとする課題】
【００１７】
しかしながら、前記従来の現金自動取引装置においては、ユニット１０２がキャスタ１０６を有するので、例えば、図２（ｃ）に示されるように、設置面に障害物１１７が存在するなどして、設置面が平坦（たん）でない場合、キャスタ１０６が障害物１１７に当接するので、ユニット１０２又はモジュール１０３を引き出すことができなくなってしまう。
【００１８】
本発明は、前記従来の問題点を解決して、装置本体に引出し可能に取り付けられた複数のユニットの各々をロックするロック機構のうちのいずれか一つのロック機構のみを選択して解除可能とする選択部材を有することによって、複数のユニットが同時に引き出されることを確実に防止して、キャスタを使用しなくとも、装置本体の転倒を確実に防止することができるユニット同時引出し防止機構を提供することを目的とする。
【課題を解決するための手段】
【００１９】
そのために、本発明のユニット同時引出し防止機構においては、装置本体と、該装置本体に引出し可能に取り付けられた複数のユニットと、該複数のユニットの各々をロックする複数のロック機構と、該複数のロック機構のうちのいずれか一つのロック機構のみを選択する選択部材とを有するユニット同時引出し防止機構であって、各ロック機構は、ユニットを解除可能にロックするロック部材を備え、前記選択部材によって選択されたロック機構のロック部材のみが解除動作可能となる。
【００２０】
本発明の他のユニット同時引出し防止機構においては、装置本体と、該装置本体に引出し可能に取り付けられた複数のユニットと、該複数のユニットの各々をロックする複数のロック機構と、該複数のロック機構のうちのいずれか一つのロック機構のみを選択する選択部材とを有するユニット同時引出し防止機構であって、各ロック機構は、ユニットを解除可能にロックするロック部材を備え、前記選択部材によって選択されたロック機構以外のロック機構のロック部材は解除動作不能となる。
【００２１】
本発明の更に他のユニット同時引出し防止機構においては、装置本体と、該装置本体に引出し可能に取り付けられた複数のユニットと、該複数のユニットの各々をロックする複数のロック機構と、該複数のロック機構のうちのいずれか一つのロック機構のみを選択する選択部材とを有するユニット同時引出し防止機構であって、各ロック機構は、ユニットを解除可能にロックするロック部材を備え、前記選択部材によってロック機構を選択すると、選択されたロック機構のロック部材が解除動作を行う。
【００２２】
本発明の更に他のユニット同時引出し防止機構においては、装置本体と、該装置本体に引出し可能に取り付けられた複数のユニットと、該複数のユニットの各々をロックする複数のロック機構と、該複数のロック機構のうちのいずれか一つのロック機構のみを選択する選択部材とを有するユニット同時引出し防止機構であって、各ロック機構は、ユニットを解除可能にロックするロック部材を備え、前記選択部材によって選択されたロック機構に対応するユニットを引き出すと、選択されたロック機構以外のロック機構のロック部材は解除動作不能となる。
【発明の効果】
【００２３】
本発明によれば、ユニット同時引出し防止機構は、装置本体に引出し可能に取り付けられた複数のユニットの各々をロックするロック機構のうちのいずれか一つのロック機構のみを選択して解除可能とする選択部材を有する。これにより、複数のユニットが同時に引き出されることを確実に防止して、キャスタを使用しなくとも、装置本体の転倒を確実に防止することができる。
【発明を実施するための最良の形態】
【００２４】
以下、本発明の実施の形態について図面を参照しながら詳細に説明する。
【００２５】
図１は本発明の第１の実施の形態におけるユニット同時引出し防止機構の構成を示す図である。
【００２６】
図において、１１は装置本体であり、１２は該装置本体１１に引出し可能に取り付けられたユニットとしての第１ユニットであり、１３は該第１ユニット１２に引出し可能に取り付けられたユニットとしての第２ユニットである。
【００２７】
本実施の形態において、前記装置本体１１は、例えば、銀行、郵便局、信用金庫、消費者金融会社等の金融機関の支店等に配設されたＡＴＭ、ＣＤ等の現金自動取引装置、現金の出納処理を行う現金処理機、両替機等の金融自動化機器の本体であるが、鉄道の駅、バスの停留所、遊園地、ゲームセンタ等の遊技場、映画館等の劇場、博物館、駐車場、レストラン等の食堂、ゴルフ場等のスポーツ施設等に配設された自動券売機の本体であってもよく、その他のいかなる種類の装置、いかなる場所に配設される装置、いかなる目的に使用される装置の本体であってもよい。ここでは、説明の都合上、前記装置本体１１が、金融自動化機器の一種である現金自動取引装置の本体である場合について説明する。
【００２８】
この場合、現金自動取引装置は、銀行、郵便局、信用金庫、消費者金融会社等の金融機関の支店、コンビニエンスストア、スーパーマーケット等の商店等に配設されたＡＴＭ、ＣＤ、両替機、キオスク（ＫＩＯＳＫ）端末等である。そして、前記金融機関の顧客は、現金自動取引装置を自分で操作して入金、出金、通帳記帳、残高照会、振込、振替等の金融取引を行う。そして、現金自動取引装置は、硬貨入出金装置、紙幣入出金装置、取引明細票発行装置、カード取扱装置等の各種の装置を備えているが、該各種の装置は、それぞれ独立のユニットとして構成され、装置本体１１に対して引出し可能に取り付けられている。
【００２９】
そして、ユニットの数はいくつであってもよいが、ここでは、説明の都合上、第１ユニット１２及び第２ユニット１３のみが装置本体１１に引出し可能に取り付けられているものとする。また、前記第１ユニット１２は、例えば、紙幣入出金装置のユニットであり、第２ユニット１３は、紙幣入出金装置のユニットに引出し可能に取り付けられている紙幣収納庫等のユニットであるものとする。なお、第２ユニット１３は、第１ユニット１２に引出し可能に取り付けられているのであるから、装置本体１１に対しても引出し可能となっている。
【００３０】
本実施の形態におけるユニット同時引出し防止機構は、図に示されるように、ロック機構として、第１ユニット１２をロックして装置本体１１から引出し不能とする第１ロック機構、及び、第２ユニット１３をロックして第１ユニット１２から引出し不能とする第２ロック機構を有する。そして、前記第１ロック機構及び第２ロック機構は、両方が同時に解除可能とならず、いずれか一方のみが選択されて解除可能となる。これにより、第１ユニット１２及び第２ユニット１３の両方が同時に装置本体１１から引き出されることが防止され、第１ユニット１２又は第２ユニット１３のいずれか一方のみが選択的に装置本体１１から引き出されることとなる。
【００３１】
なお、本実施の形態において、第１ロック機構は、ロック部材である第１ユニットロックリンクとしてのユニットロックリンク１７、ロックポスト１８、及び、第１ユニットロックレバとしてのユニットロックレバ１９を備え、第２ロック機構は、ロック部材である第２ユニットロックリンクとしてのモジュールロックリンク２０、ロックポスト２１、及び、第２ユニットロックレバとしてのモジュールロックレバ２２を備える。なお、前記ユニットロックリンク１７、ロックポスト１８、ユニットロックレバ１９、モジュールロックリンク２０、ロックポスト２１及びモジュールロックレバ２２の構成については、各々、前記「背景技術」において説明したものと同様であるので、前記「背景技術」におけるユニットロックリンク１０７、ロックポスト１０８、ユニットロックレバ１０９、モジュールロックリンク１１０、ロックポスト１１１及びモジュールロックレバ１１２の構成に関する記載を援用する。
【００３２】
そして、第１ユニット１２には、かんぬきレバ２３が上下方向に摺（しゅう）動可能に取り付けられている。該かんぬきレバ２３は、上下方向に延在する細長い角穴を備え、該角穴が第１ユニット１２に固定されている図示されないスタッドに移動可能に係合する。また、前記かんぬきレバ２３は、上端近傍に固定された上部シャフト２４ａ及び下端近傍に固定された下部シャフト２４ｂを備える。
【００３３】
ここで、前記かんぬきレバ２３が上方に位置するときに、ユニットロックレバ１９が図に示される状態から時計回り方向に回転すると、上部シャフト２４ａがユニットロックレバ１９に当接して該ユニットロックレバ１９の回転を不能とする。また、前記かんぬきレバ２３が下方に位置するときに、モジュールロックレバ２２が図示される状態から時計回り方向に回転すると、下部シャフト２４ｂがモジュールロックレバ２２に当接して該モジュールロックレバ２２の回転を不能とする。
【００３４】
さらに、前記かんぬきレバ２３の中央に形成された角穴には、選択部材としてのセレクトレバ２５に固定されたシャフト２６が挿入されて係合している。なお、前記セレクトレバ２５は、第１ユニット１２に対して回転可能に取り付けられ、図における右端近傍の支軸を中心に揺動する。そして、図における左端、すなわち、自由端が上下動するようにセレクトレバ２５を揺動させると、該セレクトレバ２５の中央近傍に固定されたシャフト２６が上下動することによって、かんぬきレバ２３が上下動させられる。なお、セレクトレバ２５の揺動可能範囲は、かんぬきレバ２３の上下動可能な範囲に対応する。
【００３５】
そして、前記シャフト２６には、引張りスプリング２７の一端に形成されたフックが掛けられている。なお、前記引張りスプリング２７の他端に形成されたフックは、第１ユニット１２に固定されたスタッド２８に掛けられている。そのため、前記引張りスプリング２７の張力によって、シャフト２６がスタッド２８とセレクトレバ２５の支軸とを通る直線よりも上方に位置するとき、セレクトレバ２５は上方に付勢され、その揺動可能範囲における上側の位置で停止させられ、また、シャフト２６がスタッド２８とセレクトレバ２５の支軸とを通る直線よりも下方に位置するとき、セレクトレバ２５は下方に付勢され、その揺動可能範囲における下側の位置で停止させられる。
【００３６】
また、かんぬきレバ２３は、Ｌ字型の断面形状を備え、側面（図面に対して垂直な面）における上端近傍及び下端近傍に図示されない角穴がそれぞれ形成されている。そして、上端近傍の角穴には、かんぬきレバ２３が上方に位置するときに、第２ユニットセキュリテリンクとしてのモジュールセキュリテリンク２９に固定されているポスト３０が挿入される。また、下上端近傍の角穴には、かんぬきレバ２３が下方に位置するときに、第１ユニットセキュリテリンクとしてのユニットセキュリテリンク３１に固定されているポスト３２が挿入される。
【００３７】
そして、前記モジュールセキュリテリンク２９は、横方向に摺動可能に第１ユニット１２に取り付けられている。前記モジュールセキュリテリンク２９は、左右方向に延在する細長い角穴を備え、該角穴が第１ユニット１２に固定されているスタッドに移動可能に係合する。また、前記モジュールセキュリテリンク２９は、図示されないスプリングによって図における左方に付勢されている。さらに、前記モジュールセキュリテリンク２９の左端にはポスト３０が固定されている。そして、図に示されるように、第２ユニット１３が第１ユニット１２にセットされている場合、すなわち、第２ユニット１３が第１ユニット１２から引き出されていない場合、第１ユニット１２に固定されているポスト３３が、モジュールセキュリテリンク２９の左端面を押して、ポスト３０がかんぬきレバ２３の上端近傍の角穴に差し込まれない位置まで、前記モジュールセキュリテリンク２９を右方に移動させる。
【００３８】
同様に、前記ユニットセキュリテリンク３１も、横方向に摺動可能に第１ユニット１２に取り付けられている。前記ユニットセキュリテリンク３１は、左右方向に延在する細長い角穴を備え、該角穴が第１ユニット１２に固定されているスタッドに移動可能に係合する。また、前記ユニットセキュリテリンク３１は、図示されないスプリングによって図における左方に付勢されている。さらに、前記ユニットセキュリテリンク３１の左端にはポスト３２が固定されている。なお、前記ユニットセキュリテリンク３１の右端近傍には、他の角穴が形成され、該角穴には、押し付けレバ３４の下端近傍に固定されたスタッドが挿入されて係合している。これにより、押し付けレバ３４が回転してスタッドが移動すると、それに連動して、ユニットセキュリテリンク３１も横方向に移動する。
【００３９】
前記押し付けレバ３４は、第１ユニット１２に固定されているスタッドに回転可能に係合し、該スタッドを中心に回転する。また、前記押し付けレバ３４は、その下端近傍が、前記スタッドを介してユニットセキュリテリンク３１に係合され、さらに、該ユニットセキュリテリンク３１がスプリングによって左方に付勢されているので、時計回り方向に回転するように付勢される。そのため、前記押し付けレバ３４は、ユニットセキュリテリンク３１の摺動可能範囲の限界まで回転して停止する。そして、第１ユニット１２が装置本体１１にセットされている場合、すなわち、第１ユニット１２が装置本体１１から引き出されていない場合、装置本体１１に固定されているポスト３５が押し付けレバ３４の上端近傍の右側側面を左方へ押して、ポスト３２がかんぬきレバ２３の下端近傍の角穴に差し込まれない位置まで、ユニットセキュリテリンク３１を右方に移動させる。
【００４０】
次に、前記構成のユニット同時引出し防止機構の動作について説明する。まず、装置本体１１に第１ユニット１２をセットし、該第１ユニット１２に第２ユニット１３をセットした状態から、第１ユニット１２を引き出す動作に合わせて説明を行う。
【００４１】
図５は本発明の第１の実施の形態におけるユニット同時引出し防止機構の動作を示す第１の図、図６は本発明の第１の実施の形態におけるユニット同時引出し防止機構の動作を示す第２の図、図７は本発明の第１の実施の形態におけるユニット同時引出し防止機構の動作を示す第３の図である。
【００４２】
まず、オペレータがセレクトレバ２５を作動させ、第１ユニット１２をロックして装置本体１１から引出し不能とする第１ロック機構を選択して解除可能とする。この場合、装置本体１１に第１ユニット１２をセットし、かつ、該第１ユニット１２に第２ユニット１３をセットした状態になっているので、セレクトレバ２５は、その自由端が上下動するように揺動可能となっている。そして、図５に示されるように、セレクトレバ２５の自由端を下方に移動させる。これにより、かんぬきレバ２３が下方に移動し、第１ロック機構を解除可能とすること、すなわち、ユニットロック解除可能が選択される。
【００４３】
次に、ユニットロック解除が行われる。この場合、図６に示されるように、ユニットロックレバ１９がオペレータによって反時計回り方向に回転させられると、ユニットロックリンク１７は、ユニットロックレバ１９からの力を受け、時計回り方向に回転させられる。これにより、ユニットロックリンク１７の凹部とロックポスト１８との係合が解除されるので、第１ロック機構が解除され、第１ユニット１２を装置本体１１から引き出すことができる。
【００４４】
続いて、第１ユニット１２の引出しが行われる。この場合、図７に示されるように、オペレータによって第１ユニット１２が装置本体１１から引き出される。その際、第２ユニット１３は、第１ユニット１２にセットされているので、該第１ユニット１２が装置本体１１から引き出されると、第１ユニット１２とともに装置本体１１から引き出される。
【００４５】
そして、第１ユニット１２が装置本体１１から引き出されることによって、装置本体１１に固定されているポスト３５が押し付けレバ３４から離れるので、該押し付けレバ３４は、ユニットセキュリテリンク３１を付勢するスプリングの付勢力によって、時計回り方向に回転をする。また、ユニットセキュリテリンク３１は、前記スプリングの付勢力によって左方に移動し、ポスト３２がかんぬきレバ２３の側面に形成された角穴に挿入される。このように、ポスト３２が前記角穴に挿入されるので、かんぬきレバ２３は、第１ユニット１２の引出しが行われる際に、上方に移動不能となる。すなわち、かんぬきレバ２３は、第２ロック機構を解除可能とする方向、すなわち、モジュールロック解除可能とする方向に移動不能となる。
【００４６】
これにより、第１ユニット１２の引出しが行われるときには、第２ロック機構の解除が不能となり、第２ユニット１３を第１ユニット１２から引き出すことができなくなる。すなわち、第１ユニット１２及び第２ユニット１３の同時引出しが防止される。
【００４７】
次に、装置本体１１に第１ユニット１２をセットし、該第１ユニット１２に第２ユニット１３をセットした状態から、第２ユニット１３を引き出す動作に合わせて説明を行う。
【００４８】
図８は本発明の第１の実施の形態におけるユニット同時引出し防止機構の動作を示す第４の図、図９は本発明の第１の実施の形態におけるユニット同時引出し防止機構の動作を示す第５の図、図１０は本発明の第１の実施の形態におけるユニット同時引出し防止機構の動作を示す第６の図である。
【００４９】
まず、オペレータがセレクトレバ２５を作動させ、第２ユニット１３をロックして装置本体１１から引出し不能とする第２ロック機構を選択して解除可能とする。この場合、装置本体１１に第１ユニット１２をセットし、かつ、該第１ユニット１２に第２ユニット１３をセットした状態になっているので、セレクトレバ２５は、その自由端が上下動するように揺動可能となっている。そして、図８に示されるように、セレクトレバ２５の自由端を上方に移動させる。これにより、かんぬきレバ２３が上方に移動し、第２ロック機構を解除可能とすること、すなわち、モジュールロック解除可能が選択される。
【００５０】
次に、モジュールロック解除が行われる。この場合、図９に示されるように、モジュールロックレバ２２がオペレータによって反時計回り方向に回転させられると、モジュールロックリンク２０は、モジュールロックレバ２２からの力を受け、時計回り方向に回転させられる。これにより、モジュールロックリンク２０の凹部とロックポスト２１との係合が解除されるので、第２ロック機構が解除され、第２ユニット１３を第１ユニット１２から引き出すことができる。
【００５１】
続いて、第２ユニット１３の引出しが行われる。この場合、図１０に示されるように、オペレータによって第２ユニット１３が第１ユニット１２から引き出される。その際、該第１ユニット１２が装置本体１１にセットされているので、第２ユニット１３は装置本体１１からも引き出される。
【００５２】
そして、第２ユニット１３が第１ユニット１２から引き出されることによって、第１ユニット１２に固定されているポスト３３がモジュールセキュリテリンク２９の左端面から離れるので、該モジュールセキュリテリンク２９は、スプリングの付勢力によって、左方に移動をする。すると、ポスト３０がかんぬきレバ２３の側面に形成された角穴に挿入される。このように、ポスト３０が前記角穴に挿入されるので、かんぬきレバ２３は、第２ユニット１３の引出しが行われる際に、下方に移動不能となる。すなわち、かんぬきレバ２３は、第１ロック機構を解除可能とする方向、すなわち、ユニットロック解除可能とする方向に移動不能となる。
【００５３】
これにより、第２ユニット１３の引出しが行われるときには、第１ロック機構の解除が不能となり、第１ユニット１２を装置本体１１から引き出すことができなくなる。すなわち、第１ユニット１２及び第２ユニット１３の同時引出しが防止される。
【００５４】
このように、本実施の形態においては、第１ユニット１２の引出しが行われるときには、かんぬきレバ２３がモジュールロック解除可能とする方向に移動不能となるので、第２ユニット１３を第１ユニット１２から引き出すことが不可能となり、一方、第２ユニット１３の引出しが行われるときには、かんぬきレバ２３がユニットロック解除可能とする方向に移動不能となるので、第１ユニット１２を装置本体１１から引き出すことが不可能となる。
【００５５】
そのため、第１ユニット１２と第２ユニット１３とを同時に引き出すことが確実に防止され、キャスタを付けなくても、装置本体１１の転倒を確実に防止することができる。
【００５６】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５７】
図１１は本発明の第２の実施の形態におけるユニット同時引出し防止機構の構成を示す図である。
【００５８】
本実施の形態において、第１ユニット１２をロックして装置本体１１から引出し不能とする第１ロック機構は、第１ユニット１２の側面に固定された支軸に回転可能に取り付けられた断面がコ字状の第１ユニットロックリンクとしてのユニットロックリンク４７、及び、装置本体１１に固定され、前記ユニットロックリンク４７の凹部と係合するロックポスト１８を有する。ロック部材である前記ユニットロックリンク４７は、図示されないスプリングによって時計回り方向に回転するように付勢され、図示されないストッパに当接して、凹部がロックポスト１８と係合する位置で停止する。
【００５９】
同様に、第２ユニット１３をロックして第１ユニット１２から引出し不能とする第２ロック機構は、第１ユニット１２の側面に固定された支軸に回転可能に取り付けられた断面がコ字状の第２ユニットロックリンクとしてのモジュールロックリンク５０、及び、第２ユニット１３に固定され、前記モジュールロックリンク５０の凹部と係合するロックポスト２１を有する。ロック部材である前記モジュールロックリンク５０は、図示されないスプリングによって時計回り方向に回転するように付勢され、図示されないストッパに当接して、凹部がロックポスト２１と係合する位置で停止する。
【００６０】
また、第１ユニット１２には、本実施の形態におけるかんぬきレバ５３が上下方向に摺動可能に取り付けられている。該かんぬきレバ５３は、上端近傍に固定された上部シャフト５４ａ及び下端近傍に固定された下部シャフト５４ｂを備える。そして、前記かんぬきレバ５３が下方に移動するときに、上部シャフト５４ａは、ユニットロックリンク４７に当接して該ユニットロックリンク４７を反時計回り方向に回転させる。これにより、ユニットロックリンク４７の凹部とロックポスト１８との係合が解除される。また、前記かんぬきレバ５３が上方に移動するときに、下部シャフト５４ｂは、モジュールロックリンク５０に当接して該モジュールロックリンク５０を反時計回り方向に回転させる。これにより、モジュールロックリンク５０の凹部とロックポスト２１との係合が解除される。
【００６１】
さらに、前記かんぬきレバ５３の中央に形成された角穴には、セレクトレバ２５に固定されたシャフト２６が挿入されて係合している。そして、図における左端、すなわち、自由端が上下動するようにセレクトレバ２５を揺動させると、該セレクトレバ２５の中央近傍に固定されたシャフト２６が上下動することによって、かんぬきレバ５３が上下動させられる。なお、セレクトレバ２５の揺動可能範囲は、かんぬきレバ５３の上下動可能な範囲に対応する。
【００６２】
また、かんぬきレバ５３は、Ｌ字型の断面形状を備え、側面（図面に対して垂直な面）における上半部及び下半部に図示されない角穴がそれぞれ形成されている。そして、上半部の角穴には、かんぬきレバ５３が上方に位置するときに、モジュールセキュリテリンク２９に固定されているポスト３０が挿入される。また、下半部の角穴には、かんぬきレバ２３が下方に位置するときに、ユニットセキュリテリンク３１に固定されているポスト３２が挿入される。
【００６３】
なお、その他の点の構成については、前記第１の実施の形態と同様であるので、その説明を省略する。
【００６４】
次に、本実施の形態におけるユニット同時引出し防止機構の動作について説明する。まず、装置本体１１に第１ユニット１２をセットし、該第１ユニット１２に第２ユニット１３にセットした状態から、第１ユニット１２を引き出す動作に合わせて説明を行う。
【００６５】
図１２は本発明の第２の実施の形態におけるユニット同時引出し防止機構の動作を示す第１の図、図１３は本発明の第２の実施の形態におけるユニット同時引出し防止機構の動作を示す第２の図である。
【００６６】
まず、オペレータがセレクトレバ２５を作動させ、第１ユニット１２をロックして装置本体１１から引出し不能とする第１ロック機構を選択して解除可能とする。この場合、装置本体１１に第１ユニット１２をセットし、かつ、該第１ユニット１２に第２ユニット１３をセットした状態になっているので、セレクトレバ２５は、その自由端が上下動するように揺動可能となっている。そして、図１２に示されるように、セレクトレバ２５の自由端を下方に移動させる。これにより、かんぬきレバ５３が下方に移動し、第１ロック機構を解除可能とすること、すなわち、ユニットロック解除可能が選択される。
【００６７】
また、セレクトレバ２５の自由端を下方に移動させてかんぬきレバ５３を下方に移動させると、該かんぬきレバ５３の上部シャフト５４ａは、ユニットロックリンク４７に当接して該ユニットロックリンク４７を反時計回り方向に回転させる。これにより、ユニットロックリンク４７の凹部とロックポスト１８との係合が解除されるので、第１ロック機構が解除され、第１ユニット１２を装置本体１１から引き出すことができる。
【００６８】
次に、第１ユニット１２の引出しが行われる。この場合、図１３に示されるように、オペレータによって第１ユニット１２が装置本体１１から引き出される。その際、第２ユニット１３は、第１ユニット１２にセットされているので、該第１ユニット１２が装置本体１１から引き出されると、第１ユニット１２とともに装置本体１１から引き出される。
【００６９】
そして、第１ユニット１２が装置本体１１から引き出されることによって、装置本体１１に固定されているポスト３５が押し付けレバ３４から離れるので、該押し付けレバ３４は、ユニットセキュリテリンク３１を付勢するスプリングの付勢力によって、時計回り方向に回転する。また、ユニットセキュリテリンク３１は、前記スプリングの付勢力によって左方に移動し、ポスト３２がかんぬきレバ５３の側面に形成された角穴に挿入される。このように、ポスト３２が前記角穴に挿入されるので、かんぬきレバ５３は、第１ユニット１２の引出しが行われる際に、上方に移動不能となる。すなわち、かんぬきレバ５３は、第２ロック機構を解除可能とする方向、すなわち、モジュールロック解除可能とする方向に移動不能となる。
【００７０】
これにより、第１ユニット１２の引出しが行われるときには、第２ロック機構の解除が不能となり、第２ユニット１３を第１ユニット１２から引き出すことができなくなる。すなわち、第１ユニット１２及び第２ユニット１３の同時引出しが防止される。
【００７１】
次に、装置本体１１に第１ユニット１２をセットし、該第１ユニット１２に第２ユニット１３をセットした状態から、第２ユニット１３を引き出す動作に合わせて説明を行う。
【００７２】
図１４は本発明の第２の実施の形態におけるユニット同時引出し防止機構の動作を示す第３の図、図１５は本発明の第２の実施の形態におけるユニット同時引出し防止機構の動作を示す第４の図である。
【００７３】
まず、オペレータがセレクトレバ２５を作動させ、第２ユニット１３をロックして装置本体１１から引出し不能とする第２ロック機構を選択して解除可能とする。この場合、装置本体１１に第１ユニット１２をセットし、かつ、該第１ユニット１２に第２ユニット１３をセットした状態になっているので、セレクトレバ２５は、その自由端が上下動するように揺動可能となっている。そして、図１４に示されるように、セレクトレバ２５の自由端を上方に移動させる。これにより、かんぬきレバ５３が上方に移動し、第２ロック機構を解除可能とすること、すなわち、モジュールロック解除可能が選択される。
【００７４】
また、セレクトレバ２５の自由端を上方に移動させてかんぬきレバ５３を上方に移動させると、該かんぬきレバ５３の下部シャフト５４ｂは、モジュールロックリンク５０に当接して該モジュールロックリンク５０を反時計回り方向に回転させる。これにより、モジュールロックリンク５０の凹部とロックポスト２１との係合が解除されるので、第２ロック機構が解除され、第２ユニット１３を第１ユニット１２から引き出すことができる。
【００７５】
続いて、第２ユニット１３の引出しが行われる。この場合、図１５に示されるように、オペレータによって第２ユニット１３が第１ユニット１２から引き出される。その際、該第１ユニット１２が装置本体１１にセットされているので、第２ユニット１３は装置本体１１からも引き出される。
【００７６】
そして、第２ユニット１３が第１ユニット１２から引き出されることによって、第１ユニット１２に固定されているポスト３３がモジュールセキュリテリンク２９の左端面から離れるので、該モジュールセキュリテリンク２９は、スプリングの付勢力によって、左方に移動をする。すると、ポスト３０がかんぬきレバ５３の側面に形成された角穴に挿入される。このように、ポスト３０が前記角穴に挿入されるので、かんぬきレバ５３は、第２ユニット１３の引出しが行われる際に、下方に移動不能となる。すなわち、かんぬきレバ５３は、第１ロック機構を解除可能とする方向、すなわち、ユニットロック解除可能とする方向に移動不能となる。
【００７７】
これにより、第２ユニット１３の引出しが行われるときには、第１ロック機構の解除が不能となり、第１ユニット１２を装置本体１１から引き出すことができなくなる。すなわち、第１ユニット１２及び第２ユニット１３の同時引出しが防止される。
【００７８】
このように、本実施の形態においては、第１ユニット１２の引出しが行われるときには、かんぬきレバ５３がモジュールロック解除可能とする方向に移動不能となるので、第２ユニット１３を第１ユニット１２から引き出すことが不可能となり、一方、第２ユニット１３の引出しが行われるときには、かんぬきレバ５３がユニットロック解除可能とする方向に移動不能となるので、第１ユニット１２を装置本体１１から引き出すことが不可能となる。
【００７９】
そのため、第１ユニット１２と第２ユニット１３とを同時に引き出すことが確実に防止され、キャスタを付けなくても、装置本体１１の転倒を確実に防止することができる。
【００８０】
また、セレクトレバ２５を作動させることによって、ユニットロックリンク４７又はモジュールロックリンク５０が回転し、第１ロック機構又は第２ロック機構が解除される。
【００８１】
そのため、オペレータは、第１ロック機構又は第２ロック機構を解除するための動作を別途行う必要がなく、第１ユニット１２又は第２ユニット１３を容易に引き出すことができる。
【００８２】
なお、前記第１及び第２の実施の形態においては、装置本体１１が金融自動化機器の本体である場合について説明したが、複数のユニットが引出し可能に取り付けられている本体であれば、いかなる装置の本体であってもよい。
【００８３】
また、本発明は前記実施の形態に限定されるものではなく、本発明の趣旨に基づいて種々変形させることが可能であり、それらを本発明の範囲から排除するものではない。
【図面の簡単な説明】
【００８４】
【図１】本発明の第１の実施の形態におけるユニット同時引出し防止機構の構成を示す図である。
【図２】従来の現金自動取引装置の要部構成図である。
【図３】従来の現金自動取引装置のロック機構のロック状態を示す図である。
【図４】従来のロック機構のロック解除状態を示す図である。
【図５】本発明の第１の実施の形態におけるユニット同時引出し防止機構の動作を示す第１の図である。
【図６】本発明の第１の実施の形態におけるユニット同時引出し防止機構の動作を示す第２の図である。
【図７】本発明の第１の実施の形態におけるユニット同時引出し防止機構の動作を示す第３の図である。
【図８】本発明の第１の実施の形態におけるユニット同時引出し防止機構の動作を示す第４の図である。
【図９】本発明の第１の実施の形態におけるユニット同時引出し防止機構の動作を示す第５の図である。
【図１０】本発明の第１の実施の形態におけるユニット同時引出し防止機構の動作を示す第６の図である。
【図１１】本発明の第２の実施の形態におけるユニット同時引出し防止機構の構成を示す図である。
【図１２】本発明の第２の実施の形態におけるユニット同時引出し防止機構の動作を示す第１の図である。
【図１３】本発明の第２の実施の形態におけるユニット同時引出し防止機構の動作を示す第２の図である。
【図１４】本発明の第２の実施の形態におけるユニット同時引出し防止機構の動作を示す第３の図である。
【図１５】本発明の第２の実施の形態におけるユニット同時引出し防止機構の動作を示す第４の図である。
【符号の説明】
【００８５】
１１    装置本体
１２    第１ユニット
１３    第２ユニット
１７、４７    ユニットロックリンク
１８、２１    ロックポスト
１９    ユニットロックレバ
２０、５０    モジュールロックリンク
２２    モジュールロックレバ
２５    セレクトレバ
【図１】
2008197972.tif 000003
【図２】
2008197972.tif 000004
【図３】
2008197972.tif 000005
【図４】
2008197972.tif 000006
【図５】
2008197972.tif 000007
【図６】
2008197972.tif 000008
【図７】
2008197972.tif 000009
【図８】
2008197972.tif 000010
【図９】
2008197972.tif 000011
【図１０】
2008197972.tif 000012
【図１１】
2008197972.tif 000013
【図１２】
2008197972.tif 000014
【図１３】
2008197972.tif 000015
【図１４】
2008197972.tif 000016
【図１５】
2008197972.tif 000017